(57)【要約】【課題】報酬遊技媒体数に基づいて発行された特殊景品から交換品（金銭等）への交換を迅速にできるようにする。【解決手段】本発明は、報酬遊技媒体数に応じた種類及び又は個数の特殊景品から情報を読み取って処理する特殊景品情報読取装置である。そして、内部記憶部に少なくとも交換品に交換する際の交換価値の情報が書き込まれているタグを有する特殊景品との間で非接触通信を行う非接触通信手段と、交換品への交換が求められた、１又は複数種で所定数個の特殊景品のそれぞれに対し、非接触通信手段から得られた交換価値の総和を得る交換価値総和算出手段と、交換価値総和算出手段によって算出された交換価値の総和を出力する総和出力手段とを有することを特徴とする。【選択図】　　　図１
2004121617.tif 000002
【特許請求の範囲】
【請求項１】
報酬遊技媒体数に応じた種類及び又は個数の特殊景品から情報を読み取って処理する特殊景品情報読取装置であって、
内部記憶部に少なくとも交換品に交換する際の交換価値の情報が書き込まれているタグを有する上記特殊景品との間で非接触通信を行う非接触通信手段と、
交換品への交換が求められた、１又は複数種で所定数個の上記特殊景品のそれぞれに対し、上記非接触通信手段から得られた交換価値の総和を得る交換価値総和算出手段と、
上記交換価値総和算出手段によって算出された交換価値の総和を出力する総和出力手段と
を有することを特徴とする特殊景品情報読取装置。
【請求項２】
上記情報出力手段が、情報を表示出力する表示手段であることを特徴とする請求項１に記載の特殊景品情報読取装置。
【請求項３】
上記特殊景品のタグに書き込まれている交換価値の情報が暗号化されていると共に、
上記非接触通信手段が上記各特殊景品から得た暗号化されている交換価値の情報を復号化して上記交換価値総和算出手段に与える復号化手段をさらに備える
ことを特徴とする請求項１又は２に記載の特殊景品情報読取装置。
【請求項４】
報酬遊技媒体数に応じた種類及び又は個数の特殊景品に情報を書き込む特殊景品情報書込装置であって、
情報書込が可能な、上記各特殊景品のタグを有する上記各特殊景品との間で非接触通信を行い、少なくとも交換品に交換する際の交換価値の情報を書き込む非接触通信手段と、
指示された情報を暗号化する暗号化手段と、
報酬遊技媒体数に応じた上記特殊景品の種類及び又は個数を決定し、決定した種類及び又は個数の上記各特殊景品のそれぞれに対し、書き込む交換価値の情報を、上記暗号化手段によって暗号化させた後、上記非接触通信手段によって上記各特殊景品に書き込ませる制御手段と
を有することを特徴とする特殊景品情報書込装置。
【発明の詳細な説明】
【０００１】
【発明の属する技術分野】
本発明は、特殊景品情報書込装置及び特殊景品情報読取装置に関し、例えば、報酬遊技媒体数が変換された特殊景品の交換品（例えば、金銭や商品券などの物品）への交換をできるだけ迅速に実行し得るようにしたものである。
【０００２】
【従来の技術】
パチンコ遊技機やパチスロ遊技機等を設置している遊技場において、遊技者の多くは、遊技の結果の報酬として得た遊技媒体を、遊技場内景品交換所で特殊景品に交換することが多い。
【０００３】
このような特殊景品として、価値が異なる複数種類のものを適用し、外見で容易に区別できるような単純な形状のものを適用している。しかしながら、複数種類の特殊景品が多数、特殊景品交換所に持ち込まれた場合には、その換金金額の計算を間違うこともあった。また、ケース内部に物品を収容している特殊景品の場合、中身の物品が抜き取られていたり、中身の物品が低価値の物品に置き換えられていたりしても、そのことを容易に発見できないこともあった。
【０００４】
【特許文献１】
特開平１０−２５６９６０号公報
このような不都合を解決するため、ＩＣタグを埋め込んだカード状の特殊景品を適用することが、特許文献１によって提案されている。この特殊景品では、ＩＣタグには遊技場ＩＤなどが書き込まれている。
【０００５】
【発明が解決しようとする課題】
しかしながら、特許文献１の記載の方法でも、特殊景品交換所の係員が、特殊景品を持ち込んだ遊技者に渡す交換品の価値（例えば、金額）を計算しなければならなかった。
【０００６】
また、ＩＣタグを埋め込んだカード状の特殊景品が偽造されて特殊景品交換所に持ち込まれても、コードが一致していれば、その偽造を発見できない恐れがあった。すなわち、遊技場内景品交換所で正規に引き渡された特殊景品か否かを確認できない恐れがあった。
【０００７】
そのため、第１には、報酬遊技媒体数に基づいて発行された特殊景品から交換品（金銭等）への交換を迅速にできる装置などが求められている。また、第２には、そのような装置を採用しても、セキュリティを高いことが求められている。
【０００８】
【課題を解決するための手段】
第１の本発明の特殊景品情報読取装置は、報酬遊技媒体数に応じた種類及び又は個数の特殊景品から情報を読み取って処理する特殊景品情報読取装置であって、（１）内部記憶部に少なくとも交換品に交換する際の交換価値の情報が書き込まれているタグを有する上記特殊景品との間で非接触通信を行う非接触通信手段と、（２）交換品への交換が求められた、１又は複数種で所定数個の上記特殊景品のそれぞれに対し、上記非接触通信手段から得られた交換価値の総和を得る交換価値総和算出手段と、（３）上記交換価値総和算出手段によって算出された交換価値の総和を出力する総和出力手段とを有することを特徴とする。
【０００９】
ここで、上記情報出力手段が、情報を表示出力する表示手段であることが好ましい。また、上記特殊景品のタグに書き込まれている交換価値の情報が暗号化されていると共に、上記非接触通信手段が上記各特殊景品から得た暗号化されている交換価値の情報を復号化して上記交換価値総和算出手段に与える復号化手段をさらに備えることが好ましい。
【００１０】
第２の本発明の特殊景品情報書込装置は、報酬遊技媒体数に応じた種類及び又は個数の特殊景品に情報を書き込むものであって、（１）情報書込が可能な、上記各特殊景品のタグを有する上記各特殊景品との間で非接触通信を行い、少なくとも交換品に交換する際の交換価値の情報を書き込む非接触通信手段と、（２）指示された情報を暗号化する暗号化手段と、（３）報酬遊技媒体数に応じた上記特殊景品の種類及び又は個数を決定し、決定した種類及び又は個数の上記各特殊景品のそれぞれに対し、書き込む交換価値の情報を、上記暗号化手段によって暗号化させた後、上記非接触通信手段によって上記各特殊景品に書き込ませる制御手段とを有することを特徴とする。
【００１１】
【発明の実施の形態】
（Ａ）第１の実施形態
以下、本発明の第１の実施形態を図面を参照しながら説明する。第１の実施形態は、特殊景品情報読取装置に関する。
【００１２】
（Ａ−１）第１の実施形態の構成
図１は、第１の実施形態の特殊景品情報読取装置の構成を示すブロック図である。
【００１３】
図１において、第１の実施形態の特殊景品情報読取装置１は、例えば、遊技場外部の景品交換所に設けられているものであり、非接触通信部１０、制御部１１、特殊景品一覧情報部１２、入力部１３及び表示部１４などを有する。
【００１４】
非接触通信部１０は、制御部１１の制御下で、特殊景品に設けられているデータキャリア（例えば、ＩＣタグ；以下、特殊景品タグと呼ぶ）との通信を行うものであり、特殊景品タグが記憶している特殊景品種類情報、個別識別情報及び交換情報を読み出すための通信を行うものである。
【００１５】
ここで、特殊景品タグ３Ａは、図２（Ａ）及び（Ｂ）に例示するように、札やボールペンなどの特殊景品３に埋め込まれたものであっても良く、その表面に貼付されたものであっても良く、また、特殊景品３のケースに埋め込まれたり、貼付されたりしたものであっても良い。
【００１６】
特殊景品タグ３Ａには、上述したように、特殊景品種類情報、個別識別情報及び交換情報が、例えば固定的に記憶されている。特殊景品種類情報は、特殊景品３の種類を表している情報であり、図２の例で言えば、札やボールペンなどを区別する情報である。個別識別情報は、特殊景品毎の識別情報であり、１回の特殊景品への変換では同一の識別番号の特殊景品が遊技者に引き渡されることがほぼ皆無に近い十分な桁を有する。交換情報は、当該特殊景品で交換し得る価値（例えば、報酬遊技媒体数や金額など）の情報である。
【００１７】
この第１の実施形態の場合、特殊景品タグ（ＩＣタグ）３Ａは、無電源で、共振エネルギーを通信のためのエネルギーとするものを意図しているが、電源を搭載しているものであっても良い。
【００１８】
図１に戻り、制御部１１は、当該特殊景品情報読取装置１の全体を制御して、１遊技者が持ち込んだ特殊景品全体での価値（例えば、総報酬遊技媒体数や総金額など）を表示させるものである。
【００１９】
特殊景品一覧情報部１２は、当該特殊景品情報読取装置１が取り扱うことができる全種類の特殊景品のそれぞれに関し、特殊景品の種類情報と、その特殊景品で交換し得る価値との対情報を格納しているものである。なお、特殊景品で交換し得る価値が報酬遊技媒体数の場合には、それを換算した金額情報を含んでいても良い。
【００２０】
入力部１３は、新たな総価値表示の起動を指示したり、今まで表示されていた総価値の表示をクリアしたりするための操作キーなどが設けられている。
【００２１】
表示部１４は、制御部１１の制御下で、１遊技者が持ち込んだ特殊景品の総価値などを表示するものである。表示部１４は、例えば、１行１０文字程度を表示可能な液晶表示装置で構成されている。
【００２２】
（Ａ−２）第１の実施形態の動作
次に、第１の実施形態の特殊景品情報読取装置１の動作を、図３のフローチャートを参照しながら説明する。
【００２３】
遊技者は、遊技場内景品交換所において、報酬遊技媒体数に応じた種類及び数の特殊景品３を受け取り、それら特殊景品３を持って特殊景品交換所に出向き、特殊景品交換所の係員に渡す。特殊景品交換所の係員は、特殊景品情報読取装置１に対し、新たな総価値表示の起動を指示し、これにより、特殊景品情報読取装置１の制御部１１は、図３に示す処理を開始する。
【００２４】
そしてまず、制御部１１は、内部の個別識別情報記憶エリア１１Ａをクリアした後（Ｓ１）、クリアキーが操作されたか否かを判別する（Ｓ２）。クリアキーが操作されたときには、表示部１４の表示などを待機状態に戻して（Ｓ３）、図３に示す一連の処理を終了する。一方、クリアキーが操作されていないときは、制御部１１は、非接触通信部１０から、特殊景品種類情報、個別識別情報及び交換情報が与えられたか否かを判別する（Ｓ４）。与えられていない場合には、クリアキーの操作確認ステップＳ２に戻る。
【００２５】
特殊景品交換所の係員は、１遊技者から、１又は複数の特殊景品３が引き渡されると、総価値表示の起動キーを操作した後、各特殊景品３の情報を非接触通信部１０に順次読み取られせる操作を行う。そのため、ステップＳ４で肯定結果が得られることがある。
【００２６】
制御部１１は、非接触通信部１０から、特殊景品種類情報、個別識別情報及び交換情報が与えられると、これら情報が与えられた特殊景品３の正当性を確認する（Ｓ５）。この正当性の確認では、与えられた特殊景品種類情報及び交換情報が、特殊景品一覧情報部１２に記載されていること、及び、与えられた個別識別情報が、内部の個別識別情報記憶エリア１１Ａに記憶されているものと一致しないことが判断条件となる。
【００２７】
制御部１１は、正当性が疑わしいときには、表示部１４に異常を所定時間だけ表示させた後（Ｓ６）、クリアキーの操作確認ステップＳ２に戻る。
【００２８】
これに対して、正当性が確認されると、制御部１１は、内部の個別識別情報記憶エリア１１Ａに与えられた個別識別情報を追加記憶させ（Ｓ７）、また、与えられた交換情報に応じた分だけ、表示すべき総価値を更新して表示部１４に表示させ（Ｓ８）、クリアキーの操作確認ステップＳ２に戻る。
【００２９】
なお、この表示の際には、与えられた特殊景品種類情報が規定する種類（例えば、札やボールペン）も、総価値と共に、表示させるようにしても良い。
【００３０】
特殊景品交換所の係員は、１遊技者から渡された全ての特殊景品３を、特殊景品情報読取装置１で読み取らせたタイミングで表示されている総価値に応じた交換品（例えば、金銭、商品券などの物品）を遊技者に渡す。
【００３１】
（Ａ−３）第１の実施形態の効果
上記第１の実施形態の特殊景品情報読取装置によれば、以下の効果を奏することができる。
【００３２】
特殊景品交換所の係員は、特殊景品の特殊景品タグを特殊景品情報読取装置に読み取らせるだけで、交換品に交換する総価値を認識でき、交換処理の迅速化が期待できる。
【００３３】
また、特殊景品の特殊景品タグから読み取られた情報に基づいて、その特殊景品の正当性を確認するようにしているので、偽造等の不正が行われた特殊景品を容易に発見でき、不正を未然に防止することができる。さらに、特殊景品タグは、非接触ＩＣタグであるので、専用の非接触通信部でなければ書き換えることができず、この面でも、安全性が高い。
【００３４】
さらに、特殊景品情報読取装置が交換品に交換する総価値を計算表示するので、特殊景品交換所の係員が総価値を計算する場合に比較して正確性が大幅に高まり、誤った総価値の交換品を遊技者に渡す恐れを格段的に小さくできる。
【００３５】
（Ｂ）第２の実施形態
次に、本発明の第２の実施形態を図面を参照しながら説明する。第２の実施形態は、特殊景品情報書込装置及び特殊景品情報読取装置に関する。
【００３６】
（Ｂ−１）第２の実施形態の構成
第２の実施形態は、特殊景品の特殊景品タグに情報を書き込む特殊景品情報書込装置２、及び、特殊景品の特殊景品タグから情報を読み取る特殊景品情報読取装置１Ａの双方に特徴を有している。
【００３７】
図４は、第２の実施形態の特殊景品情報書込装置の構成を示すブロック図である。
【００３８】
図４において、第２の実施形態の特殊景品情報書込装置２は、例えば、遊技場内の景品交換所に設けられているものであり、非接触通信部２０、制御部２１、特殊景品一覧情報部２２、入力部２３、表示部２４、個別識別情報発生部２５、計数情報読取部２６及び暗号化部２７等を有する。
【００３９】
なお、特殊景品情報書込装置２は、単独装置として構成されたものであっても良く、また、例えば、景品交換ＰＯＳ端末等の他の装置と融合された形態で構成されているものであっても良い。以下では、前者であるとして説明する。
【００４０】
非接触通信部２０は、制御部２１の制御下で、特殊景品タグ３Ａとの非接触通信を行うものであり、特殊景品タグ３Ａに情報を書き込むための通信を行うものである。
【００４１】
なお、第１の実施形態とは異なり、第２の実施形態の特殊景品タグ３Ａは書込み、読取りの両アクセスに対応できるものである。
【００４２】
制御部２１は、当該特殊景品情報書込装置２の全体を制御して、報酬遊技媒体数に応じた種類及び又は数の全ての特殊景品の特殊景品タグに情報を書き込ませるものである。
【００４３】
特殊景品一覧情報部２２は、当該特殊景品情報書込装置２が取り扱うことができる全種類の特殊景品のそれぞれに関し、特殊景品の種類情報と、その特殊景品で交換し得る価値との対情報を格納しているものである。当該遊技場で取扱い可能な特殊景品の種類が増加したり減少したりした際には、この特殊景品一覧情報部２２を更新すれば良い。
【００４４】
入力部２３は、遊技場内の景品交換所の係員が動作モード等を指示するために用いるものである。
【００４５】
表示部２４は、制御部２１の制御下で、遊技場内の景品交換所の係員に対するガイダンスメッセージを表示したり、動作状態を表示したり等するものである。
【００４６】
個別識別情報発生部２５は、特殊景品３に書き込む、各特殊景品３を区別するための個別識別情報を発生するものであり、例えば、乱数発生器を適用したものであっても良い。制御部２１による処理であるが、１個の報酬遊技媒体数（計数情報）に対して、遊技者に引き渡される複数の特殊景品３に対しては、異なる個別識別情報が割り当てられる。
【００４７】
計数情報読取部２６は、報酬遊技媒体数の計数情報を読み取るものである。例えば、図示しない遊技媒体計数器が計数情報をレシートに印字出力するものであれば、計数情報読取部２６は、レシートの計数情報を文字認識処理により取り込む。また例えば、図示しない遊技媒体計数器が計数情報を記録した磁気カードやＩＣカードを発行したり、遊技者が所持するカード（例えば会員カード）に計数情報を記録するものであれば、計数情報読取部２６は、それらカードから計数情報を読み取る。計数情報読取部２６は、レシートやカードの回収機構を備えていても良く、読取り後のレシートやカードの返却機構を備えていても良い。
【００４８】
なお、遊技媒体計数器は、遊技場内景品交換所等に設けられた計数専用機であっても良く、また、計数機能を備えたパチンコ遊技機やパチスロ遊技機の場合には、それら遊技機に設けられた計数器であっても良い。また、図４とは異なり、図示しない遊技媒体計数器から直接、又は、遊技場管理コンピュータ経由で、遊技媒体計数器が計数して得た計数情報を通信により、計数情報読取部２６が得るようにしても良い。さらには、特殊景品情報書込装置２が計数器を備えて計数情報を得るようにしても良い。
【００４９】
暗号化部２７は、制御部２１の制御下で、特殊景品タグ３Ａに書き込む、特殊景品種類情報、個別識別情報及び交換情報を暗号化するものである。暗号化された後の特殊景品種類情報、個別識別情報及び交換情報が、特殊景品タグ３Ａに書き込まれる。
【００５０】
図５は、第２の実施形態の特殊景品情報読出装置の構成を示すブロック図であり、第１の実施形態に係る図１との同一、対応部分には、同一符号を付して示している。
【００５１】
第２の実施形態の特殊景品情報読出装置１Ａは、第１の実施形態の特殊景品情報読出装置１の構成に加え、復号化部１５を有するものである。
【００５２】
復号化部１５は、制御部１１の制御下で、非接触通信部１０が特殊景品３（特殊景品タグ３Ａ）から読み取った暗号化されている情報（特殊景品種類情報、個別識別情報及び交換情報）を復号するものである。
【００５３】
他の各部は、第１の実施形態のものと同様であるので、その機能説明は省略する。
【００５４】
（Ｂ−２）第２の実施形態の動作
次に、第２の実施形態の動作を、特殊景品情報書込装置２の動作、特殊景品情報読出装置１Ａの動作の順に説明する。
【００５５】
図６は、第２の実施形態の特殊景品情報書込装置２の動作を示すフローチャートである。
【００５６】
報酬遊技媒体を獲得した遊技者は、図示しない遊技媒体計数器で報酬遊技媒体数を計数させ、計数情報（計数情報を印字したレシート又は計数情報を記憶したカードなど）を得て、遊技場内景品交換所の係員に計数情報を渡す。
【００５７】
遊技場内景品交換所の係員は、特殊景品情報書込装置２に対し、新たな処理の起動を指示し、これにより、特殊景品情報書込装置２の制御部２１は、図６に示す処理を開始する。
【００５８】
そしてまず、制御部２１は、内部の個別識別情報記憶エリア２１Ａをクリアする（Ｓ１１）。その後、制御部２１は、計数情報の読み取りを求めるガイダンスメッセージを表示部２４に表示させ、係員が読み取らせた計数情報を取り込む（Ｓ１２）。そして、制御部２１は、その計数情報の場合に、遊技者に引き渡す特殊景品３の種類と個数の組とを、特殊景品一覧情報部２２の記憶情報を利用して決定して表示部２４に表示させる（Ｓ１３）。
【００５９】
ここで、特殊景品３の種類と個数の決定は、例えば、以下のように行う。
【００６０】
まず、計数情報を交換時の価値（以下、計数情報価値Ｍと呼ぶ）に置き直す。次に、特殊景品３の種類の中で、その価値が計数情報価値Ｍを越えない最も大きい価値の特殊景品３１を認識する。認識した特殊景品３１の価値Ｉ１で計数情報価値Ｍを除算し、その商Ｘ１を求め、特殊景品３１はＸ１個に決定する。次に、端数Ｍ−Ｉ１×Ｘ１を求める。
【００６１】
続いて、特殊景品３の種類の中で、その価値がこの端数Ｍ−Ｉ１×Ｘ１を越えない最も大きい価値の特殊景品３２を認識する。認識した特殊景品３２の価値Ｉ２で端数Ｍ−Ｉ１×Ｘ１を除算し、その商Ｘ２を求め、特殊景品３２はＸ２個に決定する。次に、この段階での端数Ｍ−Ｉ１×Ｘ１−Ｉ２×Ｘ２を求める。
【００６２】
以下、特殊景品３の種類の中で、価値が最も小さい特殊景品の価値より、端数が小さくなるまで、上述と同様な処理を繰り返す。
【００６３】
なお、最終的な端数は切り捨てても良く、係員が遊技者に返却するようにしても良い。
【００６４】
遊技場内景品交換所の係員は、遊技者に引き渡す特殊景品３の種類と個数の組とが表示部２４に表示されると、表示された種類の特殊景品３を表示された個数ずつ準備し、準備が終了すると、書込開始を特殊景品情報書込装置２に指示する。
【００６５】
特殊景品情報書込装置２の制御部２１は、遊技者に引き渡す特殊景品３の種類と個数の組とを表示させた後では、書込開始の指示を待ち受けており（Ｓ１４）、書込開始の指示を受けると、個別識別情報発生部２５によって個別識別情報を発生させ（この際、内部の個別識別情報記憶エリア２１Ａへの書込が行われる；Ｓ１５）、その後、暗号化部２７によって、特殊景品種類情報（決定された中のある１種類）、個別識別情報及び交換情報を暗号化させる（Ｓ１６）。上述したように、個別識別情報は、今回の計数情報に係る全ての特殊景品３で異なるように発生させる。
【００６６】
次に、制御部２１は、今、暗号化した特殊景品種類の特殊景品３を非接触通信部２０にかざすことを求めるガイダンスメッセージを表示部２４に表示させ（Ｓ１７）、非接触通信部２０が特殊景品３（特殊景品タグ３Ａ）の近接を感知したときに、暗号化された特殊景品種類情報、個別識別情報及び交換情報を、その特殊景品３（特殊景品タグ３Ａ）に書き込む（Ｓ１８）。
【００６７】
その後、遊技者に渡す全ての特殊景品３のそれぞれに、暗号化された特殊景品種類情報、個別識別情報及び交換情報を書き込んだか否かを確認し（書込個数で確認する；Ｓ１９）、全ての特殊景品３に対する書込処理が終了していなければ、上述した個別識別情報の発生ステップＳ１５に戻り、全ての特殊景品３に対する書込処理が終了すると、図６に示した一連の処理を終了する。
【００６８】
図７は、第２の実施形態の特殊景品情報読取装置１Ａの動作を示すフローチャートであり、上述した第１の実施形態に係る図４との同一、対応ステップには同一符号を付して示している。
【００６９】
第２の実施形態の特殊景品情報読取装置１Ａの動作も、第１の実施形態の特殊景品情報読取装置１の動作とほぼ同様であるが、復号化処理（Ｓ９）が追加されている。
【００７０】
すなわち、制御部１１は、特殊景品３（特殊景品タグ３Ａ）から読み取った情報が非接触通信部１０から与えられた場合（Ｓ４）、その情報に対し復号化して、特殊景品種類情報、個別識別情報及び交換情報を得（Ｓ９）、そして、制御部１１は、これら情報が与えられた特殊景品３の正当性を確認する（Ｓ５）。
【００７１】
復号化以外の処理は、第１の実施形態とほぼ同様であるので、その説明は省略する。
【００７２】
（Ｂ−３）第２の実施形態の効果
上記第２の実施形態の特殊景品情報書込装置及び特殊景品情報読取装置によれば、第１の実施形態の効果に加え、以下の効果を奏することができる。
【００７３】
特殊景品タグに書き込まれている情報が暗号化されているので、第１の実施形態よりセキュリティが高くなっている。
【００７４】
また、遊技場内景品交換所の特殊景品情報書込装置で書込みを行うので、特殊景品の種類の追加、減少などに容易に対応することができる。
【００７５】
さらに、特殊景品情報書込装置が、遊技者に引き渡す特殊景品３の種類と個数の組とを決定するので、係員が、遊技者に引き渡す特殊景品３を間違える可能性を従来より格段的に小さくすることができる。
【００７６】
（Ｃ）他の実施形態
上記各実施形態の説明でも変形実施形態に言及したが、さらに、以下に例示するような変形実施形態も挙げることができる。
【００７７】
特殊景品情報読取装置１又は１Ａが設けられている特殊景品交換所に監視カメラを設け、特殊景品情報読取装置１又は１Ａが情報を読み取った特殊景品３が不正品と判断したときには、監視カメラを起動するようにしても良い。これに代え、又は、これに加え、特殊景品情報読取装置１又は１Ａ内に設けたブザーなどを起動するようにしても良い。
【００７８】
第１の実施形態においても、特殊景品タグ３Ａに書き込んだ情報を暗号化しておき、特殊景品情報読取装置１が復号化して処理するようにしても良い。
【００７９】
また、特殊景品タグ３Ａに書き込まれている情報、又は、特殊景品タグ３Ａに書き込む情報は、上記各実施形態のものに限定されず、それより少なくても多くても良い。但し、少なくとも、特殊景品情報読取装置において、１遊技者に渡す交換品の総価値を算定できる情報は、特殊景品タグ３Ａに書き込まれていること、又は、書き込むことを要する。上記実施形態以外の情報としては、遊技場のＩＤ等を挙げることができる。また、特殊景品の種類は１種類でも良く、この場合、種類情報は不要となる。
【００８０】
上記変形実施形態とも関係するが、特殊景品情報読取装置１、１Ａは、複数の遊技場又は複数の遊技場運営会社に共通なものであっても良い。
【００８１】
また、１個の計数情報に対して１個の特殊景品を引き渡す場合であっても、本発明を適用することができる。
【００８２】
さらに、上記各実施形態では、交換品の総価値を表示出力するものを示したが、これに加え、又は、これに代え、音声合成出力するようにしても良い。
【００８３】
第１の実施形態では、特殊景品情報書込装置２が計数情報を読み取るものであったが、遊技者が計数情報を書き込んだレシートを係員に渡し、係員がキー入力によって、計数情報を特殊景品情報書込装置２に入力させるようにしても良い。
【００８４】
さらにまた、特殊景品情報読取装置１、１Ａが読み取った特殊景品の種類や個数、特殊景品情報書込装置２が書込を行った特殊景品の種類や個数の１日当たり又は１月当たりなどの所定期間毎の統計情報を各装置が管理、記憶するようにしても良い。
【００８５】
【発明の効果】
以上のように、本発明によれば、報酬遊技媒体数に基づいて発行された特殊景品に交換価値情報を記憶し、その情報を読み取って交換価値の総和を出力するようにしたので、係員が交換価値の総和を容易に把握でき、交換品（金銭等）への交換を迅速にできるようになる。
【００８６】
なお、交換価値情報を暗号化記憶することにより、セキュリティは高くなる。
【図面の簡単な説明】
【図１】第１の実施形態の特殊景品情報読取装置の構成を示すブロック図である。
【図２】第１の実施形態に係る特殊景品の説明図である。
【図３】第１の実施形態の特殊景品情報読取装置の動作を示すフローチャートである。
【図４】第２の実施形態の特殊景品情報書込装置の構成を示すブロック図である。
【図５】第２の実施形態の特殊景品情報読取装置の構成を示すブロック図である。
【図６】第２の実施形態の特殊景品情報書込装置の動作を示すフローチャートである。
【図７】第２の実施形態の特殊景品情報読取装置の動作を示すフローチャートである。
【符号の説明】
１、１Ａ…特殊景品情報読取装置、２…特殊景品情報書込装置、３…特殊景品、３Ａ…特殊景品タグ、１０…非接触通信部、１１…制御部、１２…特殊景品一覧情報部、１３…入力部、１４…表示部、１５…復号化部、２０…非接触通信部、２１…制御部、２２…特殊景品一覧情報部、２３…入力部、２４…表示部、２５…個別識別情報発生部、２６…計数情報読取部、２７…暗号化部。
【図１】
2004121617.tif 000003
【図２】
2004121617.tif 000004
【図３】
2004121617.tif 000005
【図４】
2004121617.tif 000006
【図５】
2004121617.tif 000007
【図６】
2004121617.tif 000008
【図７】
2004121617.tif 000009